(57)【特許請求の範囲】
【請求項１】
無線通信システムにおけるマルチメディアブロードキャスト及びマルチキャストサービス（ＭＢＭＳ）カウンティングを処理する方法であって、
独立的な複数のマルチキャスト制御チャンネル（ＭＣＣＨ）修正区間の内から選択されたＭＣＣＨ修正区間において、
ネットワークから独立的に各々の修正区間で、ＭＢＭＳカウンティングリクエスト及び領域構成メッセージを含むマルチキャスト制御チャンネル（ＭＣＣＨ）パケットをユーザー端末（ＵＥ）の無線リンク制御（ＲＬＣ）レイヤにより受信するステップと、
前記ＵＥの無線リソース制御（ＲＲＣ）レイヤに前記ＭＣＣＨパケットを伝送するステップと、
前記ＭＢＭＳカウンティングリクエストを処理してＭＢＭＳカウンティング応答を前記ＲＲＣレイヤにより生成するステップと、
前記ＲＲＣレイヤから前記ＭＢＭＳカウンティングリクエストの成功的な受信に対する指示を前記ＲＬＣレイヤにより受信するステップと、
前記ＭＣＣＨパケットの受信以後に、後続するＭＣＣＨ修正境界指示が、前記選択されたＭＣＣＨ修正区間で受信されるかを確認するステップと、
前記選択されたＭＣＣＨ修正区間でＭＢＭＳカウンティングリクエストの多重伝送試みに対して最大一つのＭＢＭＳカウンティング応答を提供するステップと、
前記ＭＣＣＨ修正境界指示が物理的レイヤから受信されない場合、前記選択されたＭＣＣＨ修正区間で受信された一つ以上の後続するＭＣＣＨパケットを前記ＲＬＣレイヤから廃棄するステップと、を有することを特徴とする方法。
【請求項２】
前記ＭＣＣＨパケットは領域構成メッセージをさらに含むことを特徴とする請求項１に記載の方法。
【請求項３】
前記選択されたＭＣＣＨ修正区間で一つ以上の後続するＭＣＣＨパケットを廃棄するステップは、前記ＲＬＣレイヤと前記ＲＲＣレイヤとの間のレイヤ間通信を通じて実行されることを特徴とする請求項１に記載の方法。
【請求項４】
前記ＵＥのＲＬＣレイヤにより、後続するＭＣＣＨ修正境界指示が前記選択されたＭＣＣＨ修正区間で受信されるかを確認するステップで、前記ＭＣＣＨ境界指示が前記ＲＬＣレイヤ又は物理的レイヤから受信される場合、前記ＲＲＣレイヤは修正時間区間を確認するタイマを開始することを特徴とする請求項１に記載の方法。
【請求項５】
無線通信システムにおけるマルチメディアブロードキャスト及びマルチキャストサービス（ＭＢＭＳ）カウンティングを処理する方法であって、
独立的な複数のマルチキャスト制御チャンネル（ＭＣＣＨ）修正区間の内から選択されたＭＣＣＨ修正区間において、
物理的レイヤからＭＣＣＨ境界指示及びにマルチキャスト制御チャンネル（ＭＣＣＨ）パケットをユーザー端末（ＵＥ）の無線リンク制御（ＲＬＣ）レイヤにより受信するステップと、
前記ＵＥの前記ＲＬＣレイヤによりＭＢＭＳカウンティングリクエストを含む前記受信されたＭＣＣＨパケットを復号化するステップと、
前記ＵＥの前記ＲＬＣレイヤにより無線リソース制御（ＲＲＣ）レイヤにＭＣＣＨ境界指示とともに前記ＭＢＭＳカウンティングリクエストを伝送するステップと、
ネットワークに前記ＭＢＭＳカウンティングリクエストを処理して生成されたＭＢＭＳカウンティング応答を前記ＲＲＣレイヤにより伝送するステップと、
前記ＵＥの前記ＲＲＣレイヤにより、前記選択されたＭＣＣＨ修正区間でＭＢＭＳカウンティングリクエストの多重伝送試みに対して最大一つのＭＢＭＳカウンティング応答を提供するステップと、
後続するＭＣＣＨ修正境界指示が前記ＲＬＣレイヤから受信されるまで一つ以上の後続するＭＣＣＨパケットを前記ＲＲＣレイヤにより廃棄するステップと、を有することを特徴とする方法。
【請求項６】
前記ＭＣＣＨパケットは領域構成メッセージをさらに含むことを特徴とする請求項５に記載の方法。
【請求項７】
前記ＵＥの前記ＲＲＣレイヤにより、前記選択されたＭＣＣＨ修正区間で一つ以上の後続するＭＣＣＨパケットを廃棄するステップは、前記ＲＬＣレイヤと前記ＲＲＣレイヤとの間のレイヤ間通信を通じて実行されることを特徴とする請求項５に記載の方法。
【請求項８】
前記ＭＣＣＨ境界指示が受信される場合、ＲＲＣレイヤが修正時間区間を確認するタイマを開始することを特徴とする請求項５に記載の方法。
【発明の詳細な説明】
【技術分野】
【０００１】
本発明は一般的に無線通信システムに係り、特に無線システムにおける進化したマルチメディアブロードキャスト及びマルチキャストサービス（ｅＭＢＭＳ）カウンティングを実行する方法に関する。
【背景技術】
【０００２】
モバイルネットワークリソースを効果的に使用するために、３ＧＰＰ（３ｒｄ  Ｇｅｎｅｒａｔｉｏｎ  Ｐａｒｔｎｅｒｓｈｉｐ  Ｐｒｏｊｅｃｔ）は、マルチメディアブロードキャスト及びマルチキャストサービス（ＭＢＭＳ）を定義する。ＬＴＥにおいて、これは、進化したマルチメディアブロードキャスト及びマルチキャストサービス（ｅＭＢＭＳ）と呼ばれる。用語ＭＢＭＳ及びｅＭＢＭＳは、本書では同一の意味で使われる。ＭＢＭＳサービスは、ネットワーク（コアネットワーク及びアクセスネットワークを含み）リソースの共有を含み、ネットワークリソース（特に、無線インターフェースリソース）の利用率を改善する一つのデータソースから複数のターゲット装置へのデータ伝送に関するものである。
【０００３】
３ＧＰＰにより定義されるｅＭＢＭＳサービスは、低速度及び単純テキストを有するメッセージクラスのマルチキャスト及びブロードキャストを提供するだけでなく、高速マルチメディアサービスの放送及びマルチキャストも提供する。ＭＢＭＳサービスは、未来のモバイルデータの発展傾向に疑いなく適合し、第３の世代（３Ｇ）移動通信の発展に対してより良いサービス展望を提供し、多様なリッチビデオ、オーディオ、及びマルチメディアサービスを提供する。
【０００４】
現在、進化したＭＢＭＳサービスは、複数のユーザー端末（ＵＥ）に対してマルチキャストブロードキャスト単一周波数ネットワーク（ＭＢＳＦＮ）技術を用いるカバレッジ領域を通じてインフォテインメントサービスをブロードキャスティングするためにＬＴＥ（Ｌｏｎｇ    Ｔｅｒｍ  Ｅｖｏｌｕｔｉｏｎ）システムに導入される。ＭＢＳＦＮ技術は、各々のセルに対して均一なスケジューリング及び計画を実行することを必要とし、同一の時間周波数リソースで同一のデータコンテンツを送信するためにＭＢＳＦＮ領域で各々のセルを要求する。
【０００５】
ｅＭＢＭＳカウンティング手順は、ｅＭＢＭＳサービスを受信しようとする及び／又はｅＭＢＭＳサービスを受信している接続モードでＵＥの数をカウントするために使用される。これは、より良いプロビジョニング（ｐｒｏｖｉｓｉｏｎｉｎｇ）、計画、及びｅＭＢＭＳサービスのオペレーションのためにユーザー及びサービスに関する多様な情報をネットワークに提供する。また、この情報は、サービスに対するＴＲＰ等級として使用できる。
【０００６】
このために、図１に示すように、メッセージは、カウンティング手順と呼ばれるＵＥとネットワークとの間のこの情報交換のために定義される。図１に示すように、ＵＥは、進化したユニバーサルモバイルテレコミュニケーションシステム地上無線アクセスネットワーク（ＥＵＴＲＡＮ）のようなネットワークからＭＢＭＳＣｏｕｎｔｉｎｇＲｅｑｕｅｓｔメッセージを受信する。３ＧＰＰ規格により、ＵＥは、独立的に各々の修正区間で受信されるＭＢＭＳＣｏｕｎｔｉｎｇＲｅｑｕｅｓｔメッセージを処理する。リクエストメッセージに応答して、ＵＥは、Ｅ−ＵＴＲＡＮにＭＢＭＳカウンティング応答を伝送する。
関連技術及びそれに関連した制限に対する上記の例は、制限のためのものでなく、例示のためのものである。関連技術の他の制限は、明細書を読み取って図面を検討することによって明らかになる。
【０００７】
まれな場合ではあるが、Ｅ−ＵＴＲＡＮは、後続する修正区間でＭＢＭＳＣｏｕｎｔｉｎｇＲｅｑｕｅｓｔ（すなわち、同一のサービスを含み）を反復し、ＵＥも再び応答する。Ｅ−ＵＴＲＡＮネットワークからのリクエストは、マルチキャスト制御チャンネル（ＭＣＣＨ）を介して共有され、ＵＥからの応答は、ユニキャストチャンネルで伝送される。同一の修正区間で、すなわちＭＣＣＨの反復される場合に、ＵＥは、カウンティングリクエストに対する応答を避けられないという潜在的な問題が予想される。これは、ＭＣＣＨパケットデータユニット（ＰＤＵ）がアクティブサービス受信中にマルチキャストトラフィックチャンネル（ＭＴＣＨ）又はＭＳＩ（ＭＣＨスケジューリング情報）ＰＤＵと多重化されるため、ＵＥは、図２に示すように修正区間で反復状況に再びカウンティングリクエストを受信する可能性がある。
【０００８】
これが発生する場合、ＲＲＣが修正境界に対して認識しないため、ＲＲＣは、カウンティングリクエストが同一の修正区間内で再び受信されるか及びそれがどのように処理されなければならないかを区別できない。最悪の場合、ＵＥは、所望しない（意図しない行動、不必要なメッセージ、追加電力消費など）このようなすべての状況に対して応答する。この問題は、ＭＢＭＳオペレーションを展開するＵＥの各々により直面するようになる。また、ネットワークは、そのカバレッジでＵＥから複数の応答を受信し、それは、異なるサービスの集合に関心のあるＵＥの個数の不正確な推定をもたらすことで、全般的にカウンティングメカニズム自体が妨げられる。
【発明の概要】
【発明が解決しようとする課題】
【０００９】
したがって、上記した従来技術の問題点を解決するための本発明の目的は、無線システムにおいて効率的に進化したマルチメディアブロードキャスト及びマルチキャストサービス（ｅＭＢＭＳ）カウンティング手順を実行する方法を提供することにある。
【課題を解決するための手段】
【００１０】
上記のような目的を達成するために、本発明の一態様によれば、無線通信システムにおけるマルチメディアブロードキャスト及びマルチキャストサービス（ＭＢＭＳ）カウンティングを処理する方法が提供される。その方法は、独立的な複数のマルチキャスト制御チャンネル（ＭＣＣＨ）修正区間の内から選択されたＭＣＣＨ修正区間において、ネットワークから独立的に各々の修正区間で、ＭＢＭＳカウンティングリクエスト及び領域構成メッセージを含むマルチキャスト制御チャンネル（ＭＣＣＨ）パケットをユーザー端末（ＵＥ）の無線リンク制御（ＲＬＣ）レイヤにより受信するステップと、前記ＵＥの無線リソース制御（ＲＲＣ）レイヤに前記ＭＣＣＨパケットを伝送するステップと、前記ＭＢＭＳカウンティングリクエストを処理してＭＢＭＳカウンティング応答を前記ＲＲＣレイヤにより生成するステップと、前記ＲＲＣレイヤから前記ＭＢＭＳカウンティングリクエストの成功的な受信に対する指示を前記ＲＬＣレイヤにより受信するステップと、前記ＭＣＣＨパケットの受信以後に、後続するＭＣＣＨ修正境界指示が、前記選択されたＭＣＣＨ修正区間で受信されるかを確認するステップと、前記選択されたＭＣＣＨ修正区間でＭＢＭＳカウンティングリクエストの多重伝送試みに対して最大一つのＭＢＭＳカウンティング応答を提供するステップと、前記ＭＣＣＨ修正境界指示が物理的レイヤから受信されない場合、前記選択されたＭＣＣＨ修正区間で受信された一つ以上の後続するＭＣＣＨパケットを前記ＲＬＣレイヤから廃棄するステップと、を有する。
【００１１】
本発明の一態様によれば、前記ＭＣＣＨパケットは領域構成メッセージをさらに含む。
本発明の一態様によれば、選択されたＭＣＣＨ修正区間で一つ以上の後続するＭＣＣＨパケットを廃棄するステップは、前記ＲＬＣレイヤと前記ＲＲＣレイヤとの間のレイヤ間通信を通じて実行される。
本発明の一態様によれば、前記ＵＥのＲＬＣレイヤにより、後続するＭＣＣＨ修正境界指示が前記選択されたＭＣＣＨ修正区間で受信されるかを確認するステップで、前記ＭＣＣＨ境界指示が前記ＲＬＣレイヤ又は物理的レイヤから受信される場合、前記ＲＲＣレイヤは修正時間区間を確認するタイマを開始する。
【００１２】
本発明の他の態様によれば、無線通信システムにおけるマルチメディアブロードキャスト及びマルチキャストサービス（ＭＢＭＳ）カウンティングを処理する方法が提供される。その方法は、独立的な複数のマルチキャスト制御チャンネル（ＭＣＣＨ）修正区間の内から選択されたＭＣＣＨ修正区間において、物理的レイヤからＭＣＣＨ境界指示及びにマルチキャスト制御チャンネル（ＭＣＣＨ）パケットをユーザー端末（ＵＥ）の無線リンク制御（ＲＬＣ）レイヤにより受信するステップと、前記ＵＥの前記ＲＬＣレイヤによりＭＢＭＳカウンティングリクエストを含む前記受信されたＭＣＣＨパケットを復号化するステップと、前記ＵＥの前記ＲＬＣレイヤにより無線リソース制御（ＲＲＣ）レイヤにＭＣＣＨ境界指示とともに前記ＭＢＭＳカウンティングリクエストを伝送するステップと、ネットワークに前記ＭＢＭＳカウンティングリクエストを処理して生成されたＭＢＭＳカウンティング応答を前記ＲＲＣレイヤにより伝送するステップと、前記ＵＥの前記ＲＲＣレイヤにより、前記選択されたＭＣＣＨ修正区間でＭＢＭＳカウンティングリクエストの多重伝送試みに対して最大一つのＭＢＭＳカウンティング応答を提供するステップと、後続するＭＣＣＨ修正境界指示が前記ＲＬＣレイヤから受信されるまで一つ以上の後続するＭＣＣＨパケットを前記ＲＲＣレイヤにより廃棄するステップと、を有する。
【００１３】
上記した本発明の他の態様によれば、ＵＥとネットワークとの間で伝送されるＭＣＣＨパケットは領域構成メッセージをさらに含む。
上記は、全般的に本発明の多様な実施形態を要約説明し、次のより完壁な詳細説明をよく理解するようにするためのものである。これに関して、本発明が本明細書で記述及び例示される方法又は使用の応用に限定されないことが明らかに理解できよう。本明細書に含まれる詳細説明又は例示から明らかになる本発明の他の長所及び目的は、本発明の範囲内に含まれるように意図されている。
【発明の効果】
【００１４】
本発明は、ｅＭＢＭＳカウンティング手順が無線システムでより効果的に遂行することがきる。
本発明による実施形態の上記及び他の態様、特徴、及び利点は、添付の図面と共に述べる以下の詳細な説明から、一層明らかになるはずである。
本発明の特定の特徴が一部図面に示され、他の図面には示されないことがあるが、これは、各々の特徴が、本発明による他の特徴のうちいずれか一つ又は全部と結合可能であるため、単に便宜のためになされたものである。
【図面の簡単な説明】
【００１５】
【図１】関連技術による、ＵＥとネットワークとの間で情報を交換するカウンティング手順を示すフロー図。
【図２】関連技術によるアクティブサービスの受信中にＭＣＣＨの修正区間を示すタイミング図。
【図３】本発明の一実施形態による無線通信ネットワークにおける進化したマルチメディアブロードキャスト及びマルチキャストサービス（ｅＭＢＭＳ）カウンティングを実行する方法を示すフローチャート。
【図４】本発明の他の実施形態による無線通信ネットワークにおける進化したマルチメディアブロードキャスト及びマルチキャストサービス（ｅＭＢＭＳ）カウンティングを実行する方法を示すフローチャート。
【発明を実施するための形態】
【００１６】
以下、本発明の望ましい実施形態を添付の図面を参照して詳細に説明する。
本発明は、無線通信システムにおけるｅＭＢＭＳカウンティングを処理する方法を提供する。上記方法は、ＵＥがレイヤ２によりすべて反復され、希望しないカウンティングリクエスト（ＭＣＣＨ）メッセージを廃棄し、カウンティング手順を処理するようにする。ＭＣＣＨ修正境界情報は、ＲＲＣレイヤにより獲得され、この情報は、カウンティング手順を処理するために使用される。
【００１７】
本発明の実施形態の次の詳細説明において、本発明が実施される特定実施形態が例として示され、本発明の一部を形成する添付図面を参照する。これら実施形態は、当業者が本発明を実施するように十分に詳細に記述され、他の実施形態が使用でき、本発明の範囲から逸脱せずに変更されることが理解できる。したがって、次の詳細な説明は、制限的な意味で考慮されてはならず、本発明の範囲は、添付される請求の範囲のみにより定義される。
明細書では、多様なところで“一つ（ａｎ）”、“一つ（ｏｎｅ）”、又は“一部”の実施形態を参照している。これは、必ずしもこのような各々の参照が同一の実施形態に関するものであり、特徴が一つの実施形態のみに適用されることを意味するものではない。異なる実施形態の一つの特徴は、他の実施形態を提供するために結合され得る。
【００１８】
ここで使用されるように、単数形は、コンテキスト中に特記して明示されない限り、複数形を含む。さらに、‘含む（ｉｎｃｌｕｄｅｓ）’、‘包含する（ｃｏｍｐｒｉｓｅｓ）’、及び／又は‘含む（ｉｎｃｌｕｄｉｎｇ）’、‘包含する（ｃｏｍｐｒｉｓｉｎｇ）’などの用語は、明細書上に記載された特徴、数字、段階、動作、構成要素、部品又はこれらの組合せが存在することを特定しようとするものであって、一つ又はそれ以上の他の特徴、数字、段階、動作、構成要素、部品、若しくはこれらの組合せが、存在する或いは付加される可能性を予め排除しないことが理解されなければならない。要素が他の要素に“接続されて”又は“結合されて”いると言及されている場合、これは、他の要素に直接接続又は結合され、あるいは介在要素（ｉｎｔｅｒｖｅｎｉｎｇ  ｅｌｅｍｅｎｔ）が存在できることがわかる。また、本明細書で使用されるように、“接続される”又は“結合される”は、作動可能に接続され、あるいは結合されることを含むことができる。本明細書で使用されるように、用語“及び／又は”は関連した並び項目のうち一つ以上の配列、及び任意及びすべての組み合わせを含む。
【００１９】
図３は、本発明の一実施形態により、無線通信システムにおける進化したマルチメディアブロードキャスト及びマルチキャストサービス（ｅＭＢＭＳ）カウンティングを実行する方法を示すフローチャートである。
図３に示すように、ステップ３０２において、ユーザー端末（ＵＥ）の無線リンクレイヤ（ＲＬＣ）は、ネットワークから受信されるＭＢＭＳカウンティングリクエストを含むマルチキャスト制御チャンネル（ＭＣＣＨ）パケットを受信する。ステップ３０４において、ＲＬＣレイヤからのＭＣＣＨパケットは、処理されてＵＥの無線リソースレイヤ（ＲＲＣ）に伝送される。ＭＣＣＨパケットを獲得した後にＲＲＣレイヤは、ステップ３０６において、ＭＢＭＳカウンティングリクエストを処理し、ＭＢＭＳカウンティング応答を生成する。さらに、ＲＲＣレイヤは、ステップ３０８において、ＲＬＣレイヤにＭＢＭＳカウンティングリクエストの成功的な受信に対する指示を送信する。
【００２０】
ステップ３１０において、ＲＬＣレイヤは、後続するＭＣＣＨ修正境界指示が選択されたＭＣＣＨ修正区間で受信されるかを確認する。ＭＣＣＨ修正境界指示が受信されない場合、ＲＬＣレイヤは、ステップ３１２で、選択され、あるいは与えられたＭＣＣＨ修正区間で受信された一つ以上の後続するＭＣＣＨパケットを拒否する。本実施形態では、ＵＥは、選択されたＭＣＣＨ修正区間でＭＢＭＳＣｏｕｎｔｉｎｇＲｅｑｕｅｓｔメッセージの多重伝送試みに対して一つのみのＭＢＭＳカウンティング応答を提供する。
【００２１】
他の実施形態において、ＭＣＣＨパケットは、ＭＢＭＳ領域構成メッセージとＭＢＭＳカウンティングリクエストメッセージ両方とも、またはＭＢＭＳ領域構成メッセージのみで構成され得る。それによって、ＵＥは、同一の修正区間でメッセージの上記組み合わせのあらゆる重複伝送試みを廃棄できる。
【００２２】
図４は、本発明の他の実施形態により、無線通信システムで進化したマルチメディアブロードキャスト及びマルチキャストサービス（ｅＭＢＭＳ）カウンティングを実行する方法を示すフローチャートである。ステップ４０２において、ＵＥのＲＬＣレイヤは、ユーザー端末の物理的レイヤから境界指示とともにマルチキャスト制御チャンネル（ＭＣＣＨ）パケットを受信する。ステップ４０４において、受信されたＭＣＣＨパケットが復号化される。ここで、ＭＣＣＨパケットは、ＭＢＭＳカウンティングリクエストを含む。ステップ４０６において、ＭＣＣＨ境界指示とともにＭＢＭＳカウンティングリクエストを含む復号化されたパケットは、処理されてＲＲＣレイヤに伝送される。
【００２３】
次いで、ステップ４０８において、ＲＲＣレイヤは、ＭＢＭＳカウンティングリクエストを処理してＭＢＭＳカウンティング応答を生成し、ネットワークにＭＢＭＳカウンティング応答を伝送する。ステップ４１０において、ＲＲＣレイヤは、後続するＭＣＣＨ修正境界指示が受信されるまでＲＬＣレイヤから一つ以上の後続するＭＣＣＨパケットを廃棄する。本実施形態において、ＵＥは、与えられたＭＣＣＨ修正区間でのＭＢＭＳＣｏｕｎｔｉｎｇＲｅｑｕｅｓｔメッセージの多重伝送試みに対して一つのＭＢＭＳカウンティング応答メッセージを提供する。
【００２４】
他の実施形態において、ＭＣＣＨパケットは、ＭＢＭＳ領域構成メッセージとＭＢＭＳカウンティングリクエストメッセージとの両方、またはＭＢＭＳ領域構成メッセージのみで構成され得る。それによって、ＵＥは、同一の修正区間でメッセージの上記組み合わせのあらゆる重複伝送試みを廃棄できる。
【００２５】
本発明の実施形態は、メッセージが異なる修正区間で受信される場合、ＵＥが独立してネットワークから受信したカウンティングリクエストメッセージを考慮することができる。カウンティングリクエストメッセージが同一の修正区間で受信される場合、ＵＥは、どんなＭＣＣＨ境界指示がカウンティングリクエストメッセージとともに受信されるか否かを確認する。境界指示が受信されない場合、ＵＥは、対応する修正区間で受信されるすべてのカウンティングリクエストメッセージを廃棄する。したがって、ＵＥは、カウンティング応答を準備するステップ及び他のレイヤに不必要にカウンティング応答を報告するステップでの時間及びリソースを節約する。さらに、本実施形態では、ＵＥが記述された方法を使用してネットワークから受信されるＭＣＣＨパケットの重複を処理可能にする。
【００２６】
他の実施形態において、修正区間での重複ＭＣＣＨ伝送を廃棄する上記方法は、修正境界指示及び／又はＭＣＣＨパケット受信及び処理の成功又は失敗を示すフラグ、グローバル変数の使用とＲＬＣレイヤとＲＲＣレイヤとの間でのレイヤ間通信の使用を通じて実現される。もう一つの実施形態では、ＲＲＣレイヤは、修正区間時間を確認するタイマを用いて修正境界の指示が下位レイヤ、例えばＲＬＣレイヤ又はＰＨＹレイヤから受信される場合にタイマを開始する。タイマの満了以前に受信されたすべての重複ＭＣＣＨパケットは廃棄される。
【００２７】
本発明の実施形態は、ＲＲＣ及びＲＬＣレイヤで具体的に言及されるが、真の意味で、これにより限定されるものではない。一般的に、ＭＣＣＨパケット（ＲＬＣ、ＭＡＣ、ＰＨＹなど）の復号化及びパーシング過程に関与するすべての下位レイヤ及びＭＣＣＨパケット／ＭＢＭＳカウンティングメッセージの処理過程に関与するすべての上位レイヤ（ＲＲＣなど）は、同一の修正区間での重複伝送試みの廃棄のための方法に関わる。
【００２８】
もう一つの実施形態では、ネットワークエンティティは、それによりサービングされるＵＥのうちいずれか一つから反復されるＭＢＭＳカウンティング応答メッセージを識別し、フィルタリングする機能を遂行し、ＵＥに対して一つの入力のみを考慮する。このようなフィルタリング方法は、ＵＥアイデンティティに対するメッセージ（ＵＥアイデンティティとも称される）を区別する段階及び修正境界に対するそれらの受信回数に対して比較する段階を有することができる。
【００２９】
別に定義されない限り、ここで使用される技術的及び科学的な用語を含むすべての用語は、本発明が属する技術分野で通常の知識を持った者には一般的に理解される意味と同一の意味を有する。一般的に使用される辞典で定義されるような用語は、関連技術の文脈上有する意味と一致する意味を有すると解析されなければならず、ここで明白に定義されない限り、理想的又は過度に形式的な意味で解析されない。
【図１】
0006548716.tif 000002
【図２】
0006548716.tif 000003
【図３】
0006548716.tif 000004
【図４】
0006548716.tif 000005